【事件の表示】
　平成５年特許願第２０３９７０号「照明装置」拒絶査定不服審判事件〔平成７年３月３日出願公開、特開平７−５７８７９号〕について、次のとおり審決する。
【結　論】
　本件審判の請求は、成り立たない。
【理　由】
１．手続の経緯・本願発明
　本願は、平成５年８月１８日の出願であって、その請求項１に係る発明（以下、「本願発明」という。）は、平成１４年１２月２７日付け及び平成１５年１月２４日付けで補正された明細書及び図面の記載からみて、次のとおりのものと認める。
「調光，記憶および再生のためのリモコン信号を出力するリモコン送信部と、前記リモコン信号を受信するリモコン信号受信部と、複数の照明負荷と、これらの照明負荷を調光する照明制御部と、前記複数の照明負荷による複数のシーンの調光レベルを記憶する不揮発性メモリと、前記照明負荷の現在の調光レベルを記憶するＲＡＭを有し前記リモコン信号受信部よりリモコン信号を受けて前記調光のリモコン信号のとき前記照明制御部の調光レベルを制御し前記記憶のリモコン信号のとき前記不揮発性メモリに現在の調光レベルを書込みさらに前記再生のリモコン信号のとき再生されるシーンの調光レベルを前記不揮発性メモリより読み出して前記照明制御部の調光レベルを制御するＣＰＵ部とを備え、
　前記ＣＰＵ部は、前記照明負荷の電源がオフのとき現在の調光状態を前記不揮発性メモリに記憶し、前記電源が再投入されたとき前記不揮発性メモリの調光データを読み出して前記照明制御部の調光レベルを制御し、
　前記不揮発性メモリは、電源オフ時の調光状態を記憶するエリアを複数のサブエリアにブロック分けし、各サブエリアをさらに調光データ記憶部と、書込み回数を書き込む回数記憶部とに分け、１つの前記サブエリアの書込み回数が所定の最大数に達すると調光データを別のサブエリアに書き込ませるようにしたことを特徴とする照明装置。」
　
２．引用発明
（１）原審の拒絶の理由で引用した特開平４−１３３２８８号公報（以下「刊行物１」という。）には、第１図〜第６図とともに、次の事項が記載されている。
ａ．「一方第５図に示すように複数の光源３ａ…による照明シーンを単純操作にて実現されている照明システムがある。
　この照明システムは複数の光源３ａ…、各々の光源３ａ…の点灯回路部２ａ…、点灯状態を変化させる光源制御部４ａ…を備えた照明器具Iａ…と、各照明器具Iａ…に対して有線の信号線ｌａ…で接続され、点灯制御信号を信号線ｌａ…を通じて照明器具Iａ…に送って光源３ａ…を夫々点灯制御する親機IIIから構成されている。
　親機IIIの信号処理部６は光源制御部４ａ…に与える点灯制御信号のデータを記憶するためのメモリ部１０を持っており、光源３ａ…を制御するための点灯制御信号のデータは操作部１５において設定され、信号処理部６に与えられ、信号処理部６はそのデータに基づく点灯制御信号を出力する。尚操作部１５は点灯状態を設定する点灯状態設定部１６と、点灯状態記憶指定部１７と、点灯状態再生指定部１８より構成される。
　点灯状態設定部１６は光源３ａ…の数ａ〜ｃだけ存在し、１対１対応にて光源３ａ…の点灯状態を設定する。点灯状態設定部１５にて設定された各光源３ａ…の点灯状態は点灯状態記憶指定部１７にて指定することにより、信号処理部６の制御の下で一つの照明シーンとして全光源３ａ…の点灯状態に対応する点灯制御信号のデータが１度にメモリ部１０に記憶される。この点灯状態の再生時には点灯状態再生指定部１８にて再生指定することにより、信号処理部６が先に記憶した点灯制御信号のデータをメモリ部１０から読み出し、各光源制御部４ａ…に読み出したデータに基づく点灯制御信号を与えることによって記憶されている照明シーンを再現する。このようにあらかじめ各光源３ａ…の点灯状態を記憶しておけば、点灯状態再生を指定するという一つの操作によって複数の光源３ａ…の点灯状態を１度に設定し、照明シーンを作り出すことができる。」（第２頁右下欄第２行〜第３頁左上欄第１８行）
ｂ．「そこで第６図に示すように点灯状態再生指定部１４と、赤外線発光の発光素子Ｌを駆動してデータを送信する信号送信部５とを有した送信器IIを備えるとともに、親機IIIに送信器IIからの赤外線信号を受光素子Ｐで受信復調する信号受信部９を設け、上記の点灯状態再生の指定をワイヤレスで行うものも提案されている。
　この従来例は送信器IIの点灯状態再生指定部１４を操作すると、信号送信部１５より赤外線信号を搬送波として再生指定の遠隔制御データが送信される。このデータは親機IIIの信号受信部８にて受信復調されて、信号処理部６に取り込まれ、信号処理部６がメモリ部１０に記憶している点灯状態を示す点灯制御信号のデータを読み取って、光源３ａ…を制御する。またメモリ部１０を複数にして点灯状態再生指定部１４にてデータを記憶しているメモリ部１０を指定することによって、複数の照明シーンの選択が可能となるものである。」（第３頁右上欄第５行〜左下欄第２行）
　記載事項ａ．から、刊行物１には、以下の発明（以下、「引用発明１」という。）が記載されていると認められる。
「点灯状態設定部１６による点灯状態の設定、点灯状態記憶指定部１７による指定および点灯状態再生指定部１８による再生指定を行う操作部１５と、複数の光源３ａ…と、これらの光源３ａ…の点灯状態を変化させる光源制御部４ａ…と、照明シーンとして全光源３ａ…の点灯状態に対応する点灯制御信号のデータを記憶するためのメモリ部１０と、点灯状態設定部１６は光源３ａ…の点灯状態を設定し、点灯状態記憶指定部１７にて指定することにより、メモリ部に点灯制御信号のデータを記憶し、点灯状態再生指定部１８にて再生指定することにより、点灯制御信号のデータをメモリ部１０から読み出し、各光源制御部４ａ…に点灯制御信号を与える信号処理部６とを備えた照明システム。」
　　
（２）同じく原審の拒絶の理由で引用した特開平３−５９９９１号公報（以下「刊行物２」という。）には、第１図〜第３図とともに、次の事項が記載されている。
ａ．「照明負荷の制御指令を送信するためのリモコン送信部と、該リモコン送信部からの制御指令を受信するリモコン受信部と、前記照明負荷と、該照明負荷の制御情報を記憶するための不揮発性記憶部と、前記リモコン受信部の受信出力にもとづき照明負荷の動作制御および前記不揮発性記憶部への制御情報の書込みを行なうとともに電源投入時に前記不揮発性記憶部に記憶された制御情報にもとづき前記照明負荷の制御を行なう判断制御部とを具備することを特徴とする遠隔制御型照明器具。」（第１頁左下欄第５行〜第１５行）
ｂ．「以上のように、本発明によれば、壁スイッチ等による照明器具の電源遮断あるいは停電等による照明制御情報の消失がないから、電源投入後も自動的に電源遮断前の照明状態の再現が行なわれる。」（第３頁左上欄第１６行〜第１９行）
　これらの記載事項を総合すると、刊行物２には、以下の発明（以下、「引用発明２」という。）が記載されていると認められる。
「照明負荷の制御情報を記憶するための不揮発性記憶部と、リモコン受信部の受信出力にもとづき照明負荷の動作制御および前記不揮発性記憶部への制御情報の書込みを行なうとともに電源投入時に前記不揮発性記憶部に記憶された制御情報にもとづき前記照明負荷の制御を行なう判断制御部により、電源投入後も自動的に電源遮断前の照明状態の再現が行なわれる遠隔制御型照明器具。」
　
３．対比
　本願発明と引用発明１とを対比すると、後者における「複数の光源３ａ…」は、その機能・構成からみて、前者における「複数の照明負荷」に相当し、以下同様に、「光源３ａ…の点灯状態を変化させる光源制御部４ａ…」は「照明負荷を調光する照明制御部」に、「各光源制御部４ａ…に点灯制御信号を与える信号処理部６」は「前記照明制御部の調光レベルを制御するＣＰＵ部」に、そして「照明システム」は「照明装置」にそれぞれ相当する。
　また、後者における「点灯状態設定部１６による点灯状態の設定、点灯状態記憶指定部１７による指定および点灯状態再生指定部１８による再生指定を行う操作部１５」と前者における「調光，記憶および再生のためのリモコン信号を出力するリモコン送信部」とは、「調光，記憶および再生のための信号を出力する信号発信部」という概念で共通し、以下同様に、「照明シーンとして全光源３ａ…の点灯状態に対応する点灯制御信号のデータを記憶するためのメモリ部１０」と「複数の照明負荷による複数のシーンの調光レベルを記憶する不揮発性メモリ」とは「複数の照明負荷によるシーンの調光レベルを記憶するメモリ」という概念で、そして「点灯状態設定部１６は光源３ａ…の点灯状態を設定し、点灯状態記憶指定部１７にて指定することにより、メモリ部に点灯制御信号のデータを記憶し、点灯状態再生指定部１８にて再生指定することにより、点灯制御信号のデータをメモリ部１０から読み出し」と「前記リモコン信号受信部よりリモコン信号を受けて前記調光のリモコン信号のとき前記照明制御部の調光レベルを制御し前記記憶のリモコン信号のとき前記不揮発性メモリに現在の調光レベルを書込みさらに前記再生のリモコン信号のとき再生されるシーンの調光レベルを前記不揮発性メモリより読み出して」とは、「前記信号発信部からの信号を受けて前記調光の信号のとき前記照明制御部の調光レベルを制御し前記記憶の信号のとき前記メモリに現在の調光レベルを書込みさらに前記再生の信号のとき再生されるシーンの調光レベルを前記メモリより読み出して」という概念でそれぞれ共通する。
　さらに、シーンという概念は、当業者にとって複数の態様を前提にしていることは明白であり、刊行物１の記載事項ｂ．の「またメモリ部１０を複数にして点灯状態再生指定部１４にてデータを記憶しているメモリ部１０を指定することによって、複数の照明シーンの選択が可能となる」という従来技術についての記載からみて、引用発明１において複数のシーンの調光レベルを記憶していることは明らかである。
　してみれば、両者は、
「調光，記憶および再生のための信号を出力する信号発信部と、複数の照明負荷と、これらの照明負荷を調光する照明制御部と、前記複数の照明負荷による複数のシーンの調光レベルを記憶するメモリと、前記信号発信部からの信号を受けて前記調光の信号のとき前記照明制御部の調光レベルを制御し前記記憶の信号のとき前記メモリに現在の調光レベルを書込みさらに前記再生の信号のとき再生されるシーンの調光レベルを前記メモリより読み出して前記照明制御部の調光レベルを制御するＣＰＵ部とを備えた照明装置。」
である点で一致し、次の点で相違する。
相違点１：本願発明は、信号発信部がリモコン信号を出力するリモコン送信部であり、前記リモコン信号を受信するリモコン信号受信部とを有し、ＣＰＵ部が照明制御部の調光レベルを制御するのがリモコン信号受信部よりリモコン信号を受けてであるのに対して、引用発明１は、そのような構成を有しているか否か明らかでない点。
相違点２：本願発明は、複数の照明負荷による複数のシーンの調光レベルを記憶するメモリが不揮発性メモリであり、記憶の信号のとき前記不揮発性メモリに現在の調光レベルを書込みさらに再生の信号のとき再生されるシーンの調光レベルを前記不揮発性メモリより読み出すという構成を有しているのに対して、引用発明１は、そのような構成を有しているか否か明らかでない点。
相違点３：本願発明は、照明負荷の現在の調光レベルを記憶するＲＡＭを有しているのに対して、引用発明１は、そのような構成を有しているか否か明らかでない点。
相違点４：本願発明は、ＣＰＵ部が照明負荷の電源がオフのとき現在の調光状態を不揮発性メモリに記憶し、電源が再投入されたとき不揮発性メモリの調光データを読み出して照明制御部の調光レベルを制御するという構成を有しているのに対して、引用発明１は、そのような構成を有していない点。
相違点５：本願発明は、不揮発性メモリを電源オフ時の調光状態を記憶するエリアを複数のサブエリアにブロック分けし、各サブエリアをさらに調光データ記憶部と、書込み回数を書き込む回数記憶部とに分け、１つの前記サブエリアの書込み回数が所定の最大数に達すると調光データを別のサブエリアに書き込ませるようにしたという構成を有しているのに対して、引用発明１は、そのような構成を有していない点。
　
４．当審の判断
（１）相違点１について
　刊行物１には、信号の送受信をワイヤレスで行うことが示唆されている（刊行物１の記載事項ｂ．参照）。そして、引用発明１において、どの信号の送受信をワイヤレスで行うかは、当業者が適宜選択できる事項であり、しかも、点灯状態の設定、記憶・再生の指定すべての送受信をワイヤレスで行うようにすることは、ワイヤレスによる利便性の観点からみて、当業者が当然に考慮する事項であるから、相違点１に係る本願発明の構成は、当業者が容易に想到し、かつ採用し得る程度のものにすぎない。
　
（２）相違点２について
　引用発明１において、記憶されたシーンを本体（親器）の電源オフ時や停電時等も保持しておいた方がよいことは当業者にとって自明ともいうべき課題である。そして、そのために、メモリを不揮発性とすることは、特表平１−５０２１４５号公報に記載されているように周知である。
　そして、このように不揮発性メモリを付加したものにおいて、不揮発性メモリのデータの入出力をどのようなタイミングで行うかは、該メモリに求められる機能及び必要な記憶容量、データ入出力に要する時間等を勘案して、当業者が適宜設定できるものである。
　よって、相違点２に係る本願発明の構成に格別の困難性があるとはいえない。
　
（３）相違点３について
　引用発明１において、点灯状態が変更されるごとに、変更後の点灯状態を維持すべく、当該点灯状態を記憶させておく記憶部が必要であることは、その機能上明らかである。そして、このように頻繁に変化するデータを記憶させておくためにＲＡＭを使用することは例を挙げるまでもなく周知な技術であり、点灯状態を記憶させておく手段としてこのようなＲＡＭを採用し、相違点３に係る本願発明の構成のようにすることに格別の困難性があるとはいえない。
　
（４）相違点４について
　不揮発性メモリを用いて、電源オフ時の状態を電源が再投入されたときに再現する、いわゆるレジューム機能は、引用発明２や実願平１−１４８９０２号（実開平３−８６５９５号）のマイクロフィルムに記載された発明のように、照明の分野においても周知の技術である。そして、このような不揮発性メモリを用いたものにおいて、レジューム機能を実現するための具体的構成としては、ＣＰＵ部が電源がオフのとき現在の状態を不揮発性メモリに記憶し、電源が再投入されたとき不揮発性メモリのデータを読み出して制御することが、特開平５ー５３３８６号公報に記載されているように、周知かつ一般的な技術であるといえる。
　してみると、引用発明１に上述のような周知のレジューム機能を付加し、相違点４に係る本願発明の構成とすることに格別の困難性があるとはいえない。
　
（５）相違点５について
　不揮発性メモリの書き換え回数に限度があることは、本願出願前より広く知られた事項と解されるところ、不揮発性メモリのデータ記憶エリアを複数のサブエリアにブロック分けして、各サブエリアをデータ記憶部と、書込み回数を書き込む回数記憶部とに分け、１つのサブエリアの書込み回数が所定の最大数に達するとデータを別のサブエリアに書き込ませるようにすることは、特開平５−１５８８０７号公報、特開平５−１２８８８２号公報、特開平５−４６４８８号公報、特開平４−３５５６０１号公報、特開平４−２４８６４６号公報等に記載されているように、周知の技術である。
　そして、上記「（２）相違点２について」及び「（４）相違点４について」で述べたように、引用発明１に不揮発性メモリを採用する場合において、その書き換え頻度を勘案し、本願発明の相違点５に係る構成とすることは、上述したサブエリアごとの書込み回数管理に関する周知の技術を踏まえた上で、当業者が容易に想到し得ることである。
　
　そして、本願発明により奏される効果も、引用発明１〜２及び周知技術から当業者が予測し得る範囲内のものである。
　
５．むすび
　したがって、本願発明は、引用発明１〜２及び周知技術に基づいて当業者が容易に発明をすることができたものであるから、特許法第２９条第２項の規定により特許を受けることができない。
　よって、結論のとおり審決する。